【手続補正書】
【提出日】平成15年7月29日(2003.7.29)
【手続補正１】
【補正対象書類名】明細書
【補正対象項目名】発明の名称
【補正方法】変更
【補正の内容】
【発明の名称】データ記録再生方法及びその装置
【手続補正２】
【補正対象書類名】明細書
【補正対象項目名】特許請求の範囲
【補正方法】変更
【補正の内容】
【特許請求の範囲】
【請求項１】
第１のデータと、第１のデータの付加情報である第２のデータが前記第１のデータに埋め込まれ、
前記第１のデータの再生処理を行なう再生処理手段と、前記第１のデータに埋め込まれた前記第２のデータを検出する検出手段と、前記第１のデータを読み込む速度を制御する制御手段とを、備えたデータ再生装置において、
前記検出手段により前記第２のデータの検出を行うために、前記第１のデータを読み込む速度を、前記第２のデータを検出可能な速度とするように、前記第１のデータを読み込む速度を制御することを特徴とするデータ再生装置。
【請求項２】
請求項１記載のデータ再生装置において、
前記検出手段により検出を行なう期間は、前記第１のデータを読み込む速度を前記第２のデータを検出可能な速度とするように、データを読み込む速度を制御し、
上記第２のデータを検出する期間以外は、その再生処理に応じた読み込み速度とするように、前記第１のデータを読み込む速度を制御することを特徴とするデータ再生装置。
【請求項３】
請求項１記載のデータ再生装置において、
前記データ再生手段は、前記第１のデータを読み込む期間と前記第２のデータの検出を行う期間を切り替える切替手段を備えたことを特徴とするデータ再生装置。
【請求項４】
請求項１乃至３の何れか１項に記載のデータ再生装置において、
前記第２のデータの検出を行なうときに、所定の間隔で検出動作を行ない、１つのファイル内において検出結果に不一致があった場合には、データの再生または出力を中止するようにすることを特徴とするデータ再生装置。
【請求項５】
請求項１乃至４の何れか１項に記載のデータ再生装置において、
前記第２のデータの検出を行なうときには、複数回検出動作を行ない、検出結果が所定の回数連続して不一致であった場合には、データの再生または出力を中止するようにすることを特徴とするデータ再生装置。
【請求項６】
請求項１乃至５の何れか１項に記載のデータ再生装置において、
前記第１及び第２のデータは記録媒体に記録されており、
前記検出手段は、前記記録媒体が入れ替えられたとき、または再生を開始するときに、記録媒体に記録されている第２のデータの検出を行なうようにすることを特徴とするデータ再生装置。
【請求項７】
請求項６記載のデータ再生装置において、
前記記録媒体が回転してデータを読み込むディスク媒体である場合には、回転速度を制御するようにすることで読み込みデータの転送レートを制御することを特徴とするデータ再生装置。
【請求項８】
請求項６または７に記載のデータ再生装置において、
前記第１及び第２のデータが記録されている記録媒体上に、複数のファイルが記録されているときには、それぞれのファイルに対して前記第２のデータの検出を行なうようにすることを特徴とするデータ再生装置。
【請求項９】
請求項６乃至８の何れか１項に記載のデータ再生装置において、
記録媒体が入れ替えられたとき、または再生を開始するときに、それぞれのファイルに対して前記第２のデータの検出を行なうようにすることを特徴とするデータ再生装置。
【請求項１０】
請求項１乃至９の何れか１項に記載のデータ再生装置において、
前記検出手段は、前記第１及び第２のデータとして記録されているデータの種類が異なる場合には、そのデータに応じた検出動作を行なうようにすることを特徴とするデータ再生装置。
【請求項１１】
請求項１乃至１０の何れか１項に記載のデータ再生装置において、
前記第１のデータの種類が画像データまたは音声データである場合には、前記第２のデータの検出手段はデータに応じた複数の検出方法を備え、そのデータに応じて検出動作を行なうように切り替えることを特徴とするデータ再生装置。
【請求項１２】
請求項１乃至１１の何れか１項に記載のデータ再生装置において、
前記データ再生装置は、前記第２のデータに応じた表示手段を備え、第２のデータの検出手段により検出した結果を表示手段により表示することを特徴とするデータ再生装置。
【請求項１３】
請求項１乃至１２の何れか１項に記載のデータ再生装置において、
データ再生手段は、前記検出手段により検出された情報に従って、前記第２の埋め込まれたデータを書き換える書き換え手段を備え、
前記書き換え手段により書き換える必要があるときには、前記第１のデータを読み込む速度を書き換え可能な速度とするように、データを読み込む速度を制御することを特徴とするデータ再生装置。
【請求項１４】
第１のデータと、第１のデータの付加情報である第２のデータが前記第１のデータに埋め込まれ、
前記第１のデータの記録処理を行なう記録処理手段と、前記第１のデータに埋め込まれた前記第２のデータを検出する検出手段と、前記第１のデータを読み込む速度を制御する制御手段とを、備えたデータ記録装置において、
前記検出手段により検出を行なう期間は、前記第１のデータを読み込む速度を前記第２のデータを検出可能な速度とするように、データを読み込む速度を制御し、
上記第２のデータを検出する期間以外は、その記録処理に応じた読み込み速度とするように、前記第１のデータを読み込む速度を制御することを特徴とするデータ記録装置。
【請求項１５】
請求項１４に記載のデータ記録装置において、
前記検出手段は、記録するデータが複数のファイルで構成されているときには、それぞれのファイルの少なくとも１箇所に対して検出動作を行なうようにすることを特徴とするデータ記録装置。
【請求項１６】
画像や音声の情報である第１のデータと、前記第１のデータの付加情報である第２のデータは前記第１のデータに埋め込まれ、
前記第１のデータの記録または再生方法と前記第２のデータの検出方法とを備え、
前記第２のデータの検出に必要なデータの読み込み速度と、前記第１のデータの記録処理または再生処理に必要な読み込み速度が異なるとき、
前記第１のデータを読み込む速度を、前記記録処理または再生処理か、第２のデータの検出かで、異なる速度で読み込むようにすることを特徴とするデータ記録再生方法。
【請求項１７】
画像や音声の情報である第１のデータと、前記第１のデータの付加情報である第２のデータは前記第１のデータに埋め込まれ、
前記第１のデータの記録または再生方法と前記第２のデータの検出方法とを備え、
前記第２のデータの検出に必要な処理時間と、前記第１のデータの記録処理または再生処理に必要な処理時間と、前記第２のデータの書き換えに必要な処理時間が異なるとき、
前記第１のデータを読み込む速度を、前記記録処理または再生処理か、第２のデータの検出か、第２のデータの書き換えかで、異なる速度で読み込むようにすることを特徴とするデータ記録再生方法。
【請求項１８】
画像や音声の情報である第１のデータと、前記第１のデータの付加情報である第２のデータは前記第１のデータに埋め込まれ、
前記第１のデータの記録または再生方法と前記第２のデータの検出方法とを備え、
前記第２のデータの検出に必要な処理時間と、前記第１のデータの記録処理または再生処理に必要な処理時間が異なるとき、
前記第１のデータを読み込む速度を、前記記録処理または再生処理か、第２のデータの検出かで、異なる速度で読み込むようにすることを特徴とするデータ記録再生方法。
【手続補正３】
【補正対象書類名】明細書
【補正対象項目名】００３８
【補正方法】変更
【補正の内容】
【００３８】
本例では、ＭＰＥＧデコーダの最終段の出力を、コピー制御情報検出手段１６に供給するようになっており、コピー制御情報検出手段１６によって検出されたウォーターマーク情報（ここではコピー制御情報）が、再生を禁止する場合や、ドライブでの記録媒体への記録を禁止する場合には、出力制御手段１７や、図示せぬ記録系の出力制御手段を切り替えて、出力を止めるようになっている。


【手続補正４】
【補正対象書類名】明細書
【補正対象項目名】００４１
【補正方法】変更
【補正の内容】
【００４１】
本例では、符号化データ１１９を可変長復号処理したデータが、可変長復号化手段１２１からコピー制御情報検出手段１６に出力される。そして、コピー制御情報検出手段１６によって検出されたコピー制御情報が、再生を禁止する場合や、ドライブでの記録媒体への記録を禁止する場合には、出力制御手段１７や、図示せぬ記録系の出力制御手段を切り替えて、出力を止めようになっている。このように、コピー制御情報検出手段１６が、可変長復号後のデータから埋め込まれたコピー制御情報の検出ができる場合には、ここからコピー制御情報の検出を行うようにしてもよい。


【手続補正５】
【補正対象書類名】明細書
【補正対象項目名】００４３
【補正方法】変更
【補正の内容】
【００４３】
図７は、本発明の第４実施形態に係る、電子透かし情報（デジタルウォーターマーク）検出機能を持つ記録再生システムの再生系の構成を示す図である。図７において、図２と同一なものには同一符号を付してある。


【手続補正６】
【補正対象書類名】明細書
【補正対象項目名】００４５
【補正方法】変更
【補正の内容】
【００４５】
図８は、本発明の第５実施形態に係る、電子透かし情報（デジタルウォーターマーク）検出機能を持つ記録再生システムの記録系の構成を示す図である。図８において、図２、図７と同一なものには同一符号を付してある。